【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】
パケットメッセージのシーケンスの各パケットメッセージ内にそれぞれのパケットメッセージのペイロードを含むように構成された手段と、
前記シーケンス内の各連続するパケットメッセージを優先度ラベルと優先度ラベルの所定の巡回するシーケンスにしたがって関係付けるように構成された手段であって、前記優先度ラベルの各々は複数の優先度レベルの1つを表わしていて、また巡回するシーケンス内のラベルの位置は、各巡回で一度だけ発生する所与の優先度のラベルと同等或いはそれ以上の高い優先度のシーケンス内の最も近い他のラベルよりも低い優先度を有する連続するラベルの数を最大化するように制御されたものと、
このようなパケットメッセージを送るように構成された手段と、を備えるパケットメッセージソース。
【請求項２】
前記パケットメッセージソースが関係付けられたダイナミック状態をもち、前記それぞれのパケットメッセージのペイロードがソースの状態更新メッセージを含む請求項１に記載のパケットメッセージソース。
【請求項３】
活動時間のラベルを各パケットメッセージと関係付けるように構成された手段をさらに含む請求項１または請求項２に記載のパケットメッセージソース。
【請求項４】
パケットメッセージソース識別子を各パケットメッセージと関係付けるように構成された手段と、
パケットメッセージのペイロードタイプの設定を各パケットメッセージと関係付けるように構成された手段と、をさらに含む請求項１ないし請求項３の何れか１項に記載のパケットメッセージソース。
【請求項５】
請求項１ないし請求項４の何れか１項に記載の複数のパケットメッセージソースと、通信リンクインターフェイスと、を備えるパケットメッセージングシステムであって、
前記通信リンクインターフェイスが、
前記複数のパケットメッセージソースからパケットメッセージを受け取るための入力ポートと、
各受け取ったパケットメッセージと関係付けられた優先度ラベルを読み取るように構成された手段と、
関係付けられた優先度ラベルの下降順で受け取ったパケットメッセージを待ち合わせするための待ち行列と、
前記待ち行列のヘッドにある各パケットメッセージを通信リンクへ送るための出力ポートとを含む、パケットメッセージングシステム。
【請求項６】
パケットメッセージソースは活動時間ラベルを各パケットメッセージに関連付けるように構成された手段を有し、
前記通信リンクインターフェイスが、
各受け取ったパケットメッセージと関係付けられたパケットメッセージの活動時間のラベルを読み取るように構成された手段と、
各それぞれのパケットメッセージを、パケットメッセージが待ち行列に入れらた時間期間の指標と関係付けるように構成された手段と、
パケットメッセージが関係付けられたパケットメッセージの活動時間のラベルよりも長い時間期間の間待ち行列へ入れたことを示す関係付けられた指標をもつ各パケットメッセージを捨てるように構成された手段と、をさらに含む請求項３に従属するときの請求項５に記載されたパケットメッセージングシステム。
【請求項７】
パケットメッセージソースは活動時間ラベルを各パケットメッセージに関連付けるように構成された手段を有し、
前記通信リンクインターフェイスが、さらに、
クロックと、
各パケットメッセージと関係付けられたパケットメッセージの活動時間のラベルを、パケットメッセージから読み取った活動時間のラベルの値およびパケットを受け取ったローカル時間を加えることから生じる調節された活動時間のラベルと置換するように構成された手段とを含み、
前記時間期間の指標を各パケットメッセージに関係付けるように構成された手段が、少なくとも1つのパケットメッセージを、各前記パケットメッセージから読み取られた前記調節された活動時間から前記パケットメッセージが到達したローカル時間を減算した結果と関係付けて、それにより、各パケットメッセージを捨てるように構成された手段が、前記関係付けられた和がゼロ以下であるときにパケットメッセージを捨てるように構成された請求項３に従属するときの請求項５に記載されたパケットメッセージングシステム。
【請求項８】
パケットメッセージソースが、パケットメッセージソース識別子を各パケットメッセージに関係付けるように構成された手段と、パケットメッセージペイロードタイプ設定を各パケットメッセージに関係付けるように構成された手段とを含み、
前記通信リンクインターフェイスが、
各受け取ったパケットメッセージからパケットメッセージのソースの識別子を読み取るように構成された手段と、
各受け取ったパケットメッセージと関係付けられたパケットメッセージのペイロードタイプ設定を読み取るように構成された手段と、
受け取ったパケットメッセージの識別子と整合する関係付けられたソース識別子をもつ待ち行列に入れられたパケットメッセージについてパケットメッセージの待ち行列を試験するように構成された手段と、
整合する待ち行列に入れられたパケットメッセージと関係付けられた優先度ラベルを読み取るように構成された手段と、
優先度ラベルに基いて待ち行列へ、整合して受け取られて待ち行列に入れられたパケットメッセージの関係したソース識別子をもっている、整合して受け取られて待ち行列に入れられたパケットメッセージを置換するパケットメッセージ、および受け取ったパケットメッセージのペイロードを分類して入れて、整合して受け取られて待ち行列に入れられたパケットメッセージの関係した優先度ラベルが何れであってもより高い優先度を表わすように構成された手段と、をさらに含む請求項４に従属するときの請求項５に記載のパケットメッセージングシステム。
【請求項９】
パケットメッセージのシーケンスの各パケットメッセージ内にそれぞれのパケットメッセージのペイロードを含むように構成された手段と、このようなパケットメッセージを送るように構成された手段と、を各々が備える複数のパケットメッセージソースと、
通信リンクインターフェイスと、を備えるパケットメッセージングシステムであって、
該通信リンクインターフェイスは、
前記複数のパケットメッセージソースからパケットメッセージを受け取るための入力ポートと、
各受け取ったパケットメッセージと関係付けられた優先度ラベルを読み取るように構成された手段と、
それぞれの割り当てられた優先度ラベルの下降順でパケットメッセージを待ち行列に入れるための待ち行列であって、連続するパケットは、前記シーケンス内で、前記複数のパケットメッセージソースの各々のところで考えると、前記優先度ラベルを、このようなラベルの所定の巡回するシーケンスにしたがって割り当てられていて、前記優先度ラベルの各々は複数の優先度レベルの１つを表わしていて、また巡回するシーケンス内の各ラベルの位置は、各巡回で一度だけ発生する所与の優先度のラベルと同等或いはそれ以上の高い優先度のシーケンス内の最も近い他のラベルよりも低い優先度を有する連続するラベルの数を最大化するように制御されたものと、
前記待ち行列のヘッドで各パケットメッセージを通信リンクへ送るための出力ポートと、を含むパケットメッセージングシステム。
【請求項１０】
パケットメッセージのシーケンスの中の各パケットメッセージ内にそれぞれのパケットメッセージのペイロードを含むことと、
優先度ラベルを前記シーケンスの各連続するパケットメッセージとを、優先度ラベルの所定の巡回するシーケンスにしたがって関係付けることであって、前記優先度ラベルの各々は複数の優先度レベルの１つを表わしており、また巡回するシーケンス内の各ラベルの位置は、各巡回で一度だけ発生する所与の優先度のラベルと同等或いはそれ以上の高い優先度のシーケンス内の最も近い他のラベルよりも低い優先度を有する連続するラベルの数を最大化するように制御されたものと、
このようなパケットメッセージを送ることと、を含むパケットメッセージングの方法。
【請求項１１】
複数のパケットメッセージソースと通信リンクインターフェイスとを含むパケットメッセージングシステムを動作する方法であって、
パケットメッセージソースの各々のところで、元のシーケンスの中で考えると、連続するパケットに、このような優先度ラベルの所定の巡回するシーケンスにしたがって優先度ラベルを割り当てることであって、前記優先度ラベルの各々は複数の優先度レベルの１つを表わしており、また巡回するシーケンス内の各ラベルの位置は、各巡回で一度だけ発生する所与の優先度のラベルと同等或いはそれ以上の高い優先度をもつシーケンス内の最も近い他のラベルよりも低い優先度を有する連続するラベルの数を最大化するように制御されたものと、
待ち行列内の前記パケットメッセージを、それぞれの割り当てられた優先度ラベルの下降順で、前記通信リンクインターフェイスにおいて待ち行列に入れることと、
前記待ち行列のヘッドの各パケットメッセージを通信リンクへ送ることと、を含む方法。